(57)【要約】【課題】  一つの伝熱部で温冷の温度変化を交互に生じさせられ、単独又は他の刺激付与に係る作動と同時に、皮膚への温刺激と冷刺激を続けて付加可能として、美容に係る効果を最大限得られるようにする美容装置を提供する。【解決手段】  美容に係る刺激を皮膚に与える刺激付与部として、温度を変化させてその温度に基づく刺激を与える伝熱部が配設されると共に、制御部１９による通電制御に基づいて伝熱部を加熱及び冷却する熱源部１３が設けられ、制御部１９の制御により熱源部１３が伝熱部を温める状態と伝熱部を冷やす状態とを交互に生じさせ、皮膚に温刺激と冷刺激を続けて交互に与えられることから、先行する温刺激が皮膚に付与されることで生じるおそれのある不快感を、後に続く冷刺激の付与で緩和、抑制でき、この伝熱部の温度変化に伴う刺激の効果や、同時に付与される他の刺激付与部からの刺激との相乗効果を、無理なく適切に皮膚に与えることができる。【選択図】  図７
2019136296.tif 000002
【特許請求の範囲】
【請求項１】
使用者により保持される本体部と、当該本体部と一体に配設され、美容に係る所定の刺激を使用者の皮膚に付与可能な刺激付与部とを備え、当該刺激付与部を使用者の皮膚に近付け又は接触させて、使用者の皮膚に対し前記所定の刺激を与える美容装置において、
熱伝導性を有する材料で形成され、使用者の周囲環境温度とは異なる温度に変化し、使用者の皮膚に前記温度に基づく刺激を付与する、前記刺激付与部の少なくとも一つとしての伝熱部と、
当該伝熱部近傍に配設され、通電により伝熱部を加熱及び冷却する熱源部と、
当該熱源部への通電を制御して、熱源部による伝熱部の加熱冷却状態を調整可能な制御部とを備え、
当該制御部が、皮膚に接近又は接触させた前記伝熱部を前記周囲環境温度より高い第一の所定温度まで温める状態と、周囲環境温度より低い第二の所定温度まで冷やす状態とが交互に生じるように、熱源部の制御を実行することを
特徴とする美容装置。
【請求項２】
前記請求項１に記載の美容装置において、
前記制御部が、前記伝熱部における前記周囲環境温度より高い温度である温期間と、周囲環境温度より低い冷期間とが同じ長さとなるように、前記熱源部の制御を実行することを
特徴とする美容装置。
【請求項３】
前記請求項２に記載の美容装置において、
前記制御部が、前記伝熱部を温める状態での、伝熱部の単位時間あたりの温度上昇の度合いが、伝熱部を冷やす状態での、伝熱部の単位時間あたりの温度低下の度合いより大きくなるように、前記熱源部の制御を実行することを
特徴とする美容装置。
【請求項４】
前記請求項１ないし３のいずれかに記載の美容装置において、
前記制御部が、前記伝熱部を温める状態の後で、且つ伝熱部を冷やす状態とする前に、所定時間にわたって前記熱源部への通電を停止する制御を実行することを
特徴とする美容装置。
【請求項５】
前記請求項１ないし４のいずれかに記載の美容装置において、
前記熱源部が、発熱面及び吸熱面となる表裏面を有するペルチェ素子とされ、前記伝熱部に面する表面又は裏面と伝熱部との間で熱伝導可能として配設され、
熱源部の伝熱部に面しない裏面又は表面に対し熱伝導可能として前記本体部内に配設され、熱源部から伝わった熱を周囲雰囲気中に放出可能とする放熱器と、
本体部の外から取り入れた空気の気流を生じさせ、当該気流を前記放熱器に当てて放熱器を強制冷却可能とするように本体部内に配設されるファンとを備え、
前記制御部が、前記伝熱部を冷やす状態で前記ファンを作動させると共に、伝熱部を冷やす状態の後で、且つ次に伝熱部を冷やす状態より前の、熱源部が伝熱部を冷やしていない期間の全体又は一部で、ファンを作動させる制御を実行することを
特徴とする美容装置。
【発明の詳細な説明】
【技術分野】
【０００１】
本発明は、使用者の皮膚に対し所定の美容に係る効果を与える美容装置に関する。
【０００２】
なお、本発明で美容効果を与える対象としての「皮膚」と共に用いる「肌」の語は、体表面のみでなく皮下脂肪等の皮下組織を含む体表層の「皮膚」と同義のものとして扱っている。
【０００３】
また、本発明で皮膚に刺激を付与する「刺激付与部」は、接触などの、皮膚において一般的な意味での刺激を与えるものを指す他、微弱電流の皮膚への通電のように、外部から付与されても人が自覚できない強度の皮膚への作用、を生じさせるものも、皮膚に対し意図的に与える機構を伴うものであれば、「刺激付与部」に含まれるものとする。
【背景技術】
【０００４】
使用者の顔等の肌（皮膚）に対し所定の美容・美肌に係る各種動作を実行する美容装置は、家庭で用いられる簡易な単機能、低出力のものから、業務用として用いられる多機能、高出力のものまで、様々な種類のものが利用されている。こうした美容装置のうち、家庭等で用いられる簡易なものとしては、皮膚を冷したり加熱したりするもの、皮膚に対し吸引を行うもの、皮膚にスチームやミストを当てるもの、皮膚に光を照射するもの、皮膚に超音波による振動を伝えるもの、皮膚に微弱電流を流してイオン導入（イオントフォレーシス）を行うもの、あるいは、皮膚に微弱電流を流して微細な汚れを除去（クレンジング）するものなどが一般的に使用されている。
【０００５】
このうち、皮膚に微弱電流を流す、すなわち通電を行うものにおいて、通電状態で皮膚に接触する電極部分の温度を変化させ、皮膚に温感又は冷感を与えられるものが知られている。こうした従来の美容機器のうち、皮膚に温感を与えられるものの一例として、特開２０１１−４１７０５号公報に示される装置が本出願人より提案されている。また、皮膚に温感と冷感のうち一方を選択的に与えられるものの一例として、特開２０１６−１０１４１０号公報に示される装置がある。
【先行技術文献】
【特許文献】
【０００６】
【特許文献１】特開２０１１−４１７０５号公報
【特許文献２】特開２０１６−１０１４１０号公報
【発明の概要】
【発明が解決しようとする課題】
【０００７】
従来の美容装置は前記各特許文献に示される構成となっており、こうした装置では、皮膚にイオン導入等をもたらすための通電と共に、通電用の電極を加熱あるいは冷却する仕組みとなっている。使用の際には、通常、装置本体部から突出した電極を、顔など美容対象の皮膚に当てた上で、皮膚に対し通電したり、電極を加熱して皮膚を温めたり、電極を冷却して皮膚を冷やす操作を使用者が行うこととなる。
【０００８】
こうした従来の装置で、電極を皮膚に当接させ、皮膚に対しイオン導入のための通電を行うと同時に、電極を加熱して皮膚を温めると、イオン性成分他の皮膚への浸透を促せることが知られており、このような皮膚への通電と温熱付与の実行は、装置の主要な作動モードの一つとして多く採用されている。
【０００９】
ただし、この皮膚への通電及び温熱付与を、夏季など気温が高く皮膚から外に熱が放散されにくい時期や、風呂上がり等の皮膚が十分に温まっているタイミングに行うと、イオン導入の効果は高まるものの、皮膚に熱がこもって皮膚が火照る状態となり、使用者の不快感につながるおそれがある、という課題を有していた。
【００１０】
これに対し、皮膚を温める機能と共に皮膚を冷やす機能が付いた装置は、冷却される電極を皮膚に当てることで、先に温められた皮膚の熱を冷まし、快適感を得ることができる。しかし、イオン導入に係る通電と温熱付与のモードの実行が停止した後、あらためて使用者の操作で皮膚を冷やすモードを選択実行させる必要がある他、皮膚を温める部位と冷やす部位が異なる装置の場合、使用者が装置を持ち替えて皮膚を冷やす部位を皮膚に当てたりする必要があるなど、煩わしい操作を要する、という課題を有していた。
【００１１】
本発明は前記課題を解消するためになされたもので、一つの伝熱部で温冷の温度変化を交互に生じさせられ、単独又は他の刺激付与に係る作動と同時に、皮膚への温刺激と冷刺激を続けて付加可能となり、煩わしい操作を要さず、どのような状況においても快適に使用でき、美容に係る効果を最大限得られるようにする美容装置を提供することを目的とする。
【課題を解決するための手段】
【００１２】
本発明の開示する美容装置は、使用者により保持される本体部と、当該本体部と一体に配設され、美容に係る所定の刺激を使用者の皮膚に付与可能な刺激付与部とを備え、当該刺激付与部を使用者の皮膚に近付け又は接触させて、使用者の皮膚に対し前記所定の刺激を与える美容装置において、熱伝導性を有する材料で形成され、使用者の周囲環境温度とは異なる温度に変化し、使用者の皮膚に前記温度に基づく刺激を付与する、前記刺激付与部の少なくとも一つとしての伝熱部と、当該伝熱部近傍に配設され、通電により伝熱部を加熱及び冷却する熱源部と、当該熱源部への通電を制御して、熱源部による伝熱部の加熱冷却状態を調整可能な制御部とを備え、当該制御部が、皮膚に接近又は接触させた前記伝熱部を前記周囲環境温度より高い第一の所定温度まで温める状態と、周囲環境温度より低い第二の所定温度まで冷やす状態とが交互に生じるように、熱源部の制御を実行するものである。
【００１３】
このように本発明の開示によれば、美容に係る刺激を皮膚に与える刺激付与部として、温度を変化させてその温度に基づく刺激を与える伝熱部が配設されると共に、制御部による通電制御に基づいて伝熱部を加熱及び冷却する熱源部が設けられ、使用者の皮膚に伝熱部を接近又は接触させた状態で、制御部が熱源部の温度を制御して、熱源部が伝熱部を温める状態と伝熱部を冷やす状態とが交互に生じるようにし、伝熱部で皮膚に温刺激と冷刺激を続けて交互に与えられることにより、伝熱部から皮膚への温刺激の後に引き続いて冷刺激を付与することとなり、先行する温刺激が皮膚に付与されることで生じるおそれのある不快感を、後に続く冷刺激の付与で緩和、抑制でき、この伝熱部の温度変化に伴う刺激の効果や、同時に付与される他の刺激付与部からの刺激との相乗効果を、無理なく適切に皮膚に与えることができる。また、伝熱部で皮膚に温刺激と冷刺激を交互に与えるにあたって、例えば温刺激付与と冷刺激付与をそれぞれ実行するための各作動モードの使用者による切替操作や、温刺激付与用と冷刺激付与用の各刺激付与部を入れ替えて皮膚に当接させる装置操作は不要となり、容易に刺激付与状態を得られ、使用者に操作の煩わしさを感じさせずに済むこととなる。
【００１４】
加えて、皮膚への温刺激と冷刺激の交互付与を繰り返すことで、温刺激による皮膚での血行、代謝の促進効果や、冷刺激による皮膚の引き締め効果などの、各刺激ごとの皮膚への効果に留まらず、皮膚直下の筋肉に温冷交互付与に基づく血行促進や疲労回復の効果を与えられ、筋肉にマッサージを行う場合に近い緊張緩和作用も得ることができ、特に顔部においては皮膚と筋肉への相乗効果でフェイスマッサージと同様のリフトアップ作用が期待できる。
【００１５】
また、本発明の開示する美容装置は必要に応じて、前記制御部が、前記伝熱部における前記周囲環境温度より高い温度である温期間と、周囲環境温度より低い冷期間とが同じ長さとなるように、前記熱源部の制御を実行するものである。
【００１６】
このように本発明の開示によれば、制御部で熱源部による伝熱部の加熱、冷却状態を制御して、伝熱部温度が周囲環境温度より高い温期間と、伝熱部温度が周囲環境温度より低い冷期間とが時間的に同じ長さとなるようにすることにより、温刺激と冷刺激のバランスをとって、より多く付与された一方の刺激による皮膚への効果が、より少ない他方の刺激による皮膚への効果を覆い隠して目立たなくすることを防ぐことができると共に、伝熱部から皮膚に与えられる温刺激の量と冷刺激の量を使用者が均等に感じることができ、刺激の量の差異による違和感や刺激の過不足感を生じさせず、適切な刺激付与状態が得られる。
【００１７】
また、本発明の開示する美容装置は必要に応じて、前記制御部が、前記伝熱部を温める状態での、伝熱部の単位時間あたりの温度上昇の度合いが、伝熱部を冷やす状態での、伝熱部の単位時間あたりの温度低下の度合いより大きくなるように、前記熱源部の制御を実行するものである。
【００１８】
このように本発明の開示によれば、制御部で熱源部による伝熱部の加熱、冷却状態を制御して、伝熱部を温める状態における伝熱部の温度上昇度合いが、伝熱部を冷やす状態における伝熱部の温度低下度合いより大きくなるようにし、伝熱部の温度上昇については急激な変化として、短時間で第一の所定温度に到達させる一方、伝熱部の温度低下は緩慢な変化として、より長い時間をかけて第二の所定温度に到達させることにより、ヒトの身体における冷刺激を受ける受容器が温刺激を受ける受容器より多い特徴に対応して、伝熱部を温める状態では温度上昇度合いを大きくし、速やかに高い温度域に到達させて受容器を活性化させ、受容器が少なく皮膚に伝わりにくい温刺激を確実に皮膚に付与できる。また、伝熱部を冷やす状態では、温刺激に比べて受容器で感知しやすい冷刺激が十分に皮膚に受け入れられる範囲で、温度低下の度合いを相対的に小さくして、伝熱部を冷却する熱源部の負担を軽減できる。特に熱源部がペルチェ素子の場合に、一般に加熱時より負荷が高くなる冷却時であっても、温度変化を緩やかにすることで、伝熱部の冷却に係る吸熱により生じる排熱の発生度合いを低下させて、排熱の放熱負荷を小さくして吸熱を無理なく実行でき、伝熱部を適切に冷却してその温度を確実に低下させられることとなる。
【００１９】
また、本発明に係る美容装置は必要に応じて、前記制御部が、前記伝熱部を温める状態の後で、且つ伝熱部を冷やす状態とする前に、所定時間にわたって前記熱源部への通電を停止する制御を実行するものである。
【００２０】
このように本発明によれば、熱源部が伝熱部を温める状態と伝熱部を冷やす状態との間に、熱源部への通電を停止する期間を設け、熱源部の加熱で第一の所定温度に達していた伝熱部に対し、熱源部が加熱も冷却も行わない状態を与え、この通電停止期間の間、伝熱部が自然放熱により少しずつ緩やかに温度を低下させるようにすることにより、伝熱部が周囲環境温度より高く、温かいと感じられる温度にある状態を熱源部への通電による加熱を伴わずに一定期間保持し、且つ、伝熱部が第一の所定温度から温度を少しずつ低下させる状態を熱源部への通電による冷却を伴わずに実現できることなり、通電停止分の電力消費を抑えられる。また、伝熱部が温められる状態から冷やされる状態に移行する際の、伝熱部の温度変化を、通電停止に伴う徐冷期間を挟むことで、緩やかな遷移状態とすることができ、温度変化に起因する皮膚への刺激を抑えられる。さらに、熱源部においても伝熱部加熱状態と冷却状態との間に通電停止期間を挟むことで、急激な温度変化を避けられ、冷却開始時の熱的負荷を抑えて電力消費を抑制できると共に、温度変化に基づく熱源部や伝熱部の機械的なストレスも緩和でき、これら熱源部や伝熱部の耐久性を高められる。
【００２１】
また、本発明の開示する美容装置は必要に応じて、前記熱源部が、発熱面及び吸熱面となる表裏面を有するペルチェ素子とされ、前記伝熱部に面する表面又は裏面と伝熱部との間で熱伝導可能として配設され、熱源部の伝熱部に面しない裏面又は表面に対し熱伝導可能として前記本体部内に配設され、熱源部から伝わった熱を周囲雰囲気中に放出可能とする放熱器と、本体部の外から取り入れた空気の気流を生じさせ、当該気流を前記放熱器に当てて放熱器を強制冷却可能とするように本体部内に配設されるファンとを備え、前記制御部が、前記伝熱部を冷やす状態で前記ファンを作動させると共に、伝熱部を冷やす状態の後で、且つ次に伝熱部を冷やす状態より前の、熱源部が伝熱部を冷やしていない期間の全体又は一部で、ファンを作動させる制御を実行するものである。
【００２２】
このように本発明の開示によれば、熱源部がペルチェ素子とされ、熱源部の伝熱部に面しない側に放熱器を設けて、通電で熱源部の伝熱部に面する側を吸熱面として伝熱部を冷やす状態とする際に、反対側の発熱面で生じる熱を放熱器とファンを用いて外部に放出可能とし、発熱側の過熱を防いで熱源部で発熱と同時並行の吸熱を滞りなく進行させ、伝熱部の冷却を継続実行できるようにすると共に、伝熱部を冷やす状態の期間に挟まれた、熱源部が伝熱部を冷やしていない期間に、ファンを作動させて放熱器を強制冷却することにより、伝熱部を冷やす状態で熱源部の発熱面に生じた熱を受け入れて温度を上昇させた放熱器が、伝熱部を冷やす状態の後もファンで強制冷却されて温度を低下させる度合いを大きくされ、次の伝熱部を冷やす状態に移行する際に放熱器の温度を大幅に低下させられることとなり、次の伝熱部を冷やす状態で放熱器の熱源部からの熱を受入可能な熱容量を十分に確保して、熱源部における吸熱で発熱側に移動させられる熱量を大きくする、すなわち、熱源部が伝熱部から熱を奪って冷却する能力を大きくすることができ、伝熱部を冷やす状態を経た後の、次の伝熱部を冷やす状態での放熱器の熱容量不足に伴う冷却能力低下や冷却実行不可となる事態を回避でき、皮膚への温刺激と冷刺激の交互付与を確実に継続実行できることに加え、二回目以降の伝熱部を冷やす状態における伝熱部の温度を適切に低下させて伝熱部で無理なく皮膚を冷やす状態が得られ、使用者に皮膚の冷却に係る不足感を与えずに済む。
【図面の簡単な説明】
【００２３】
【図１】本発明の一実施形態に係る美容装置の正面図である。
【図２】本発明の一実施形態に係る美容装置の背面図である。
【図３】本発明の一実施形態に係る美容装置の右側面図である。
【図４】本発明の一実施形態に係る美容装置のローラ部及び照射部使用状態の正面図である。
【図５】本発明の一実施形態に係る美容装置のローラ部及び照射部使用状態の背面図である。
【図６】本発明の一実施形態に係る美容装置のローラ部及び照射部使用状態の右側面図である。
【図７】本発明の一実施形態に係る美容装置のブロック図である。
【図８】本発明の一実施形態に係る美容装置におけるクレンジング実行状態説明図である。
【図９】本発明の一実施形態に係る美容装置におけるイオン導入実行状態説明図である。
【図１０】本発明の一実施形態に係る美容装置におけるローラ通電及び光照射実行状態の概略説明図である。
【図１１】本発明の一実施形態に係る美容装置におけるヘッド部からの熱的刺激付与状態説明図である。
【図１２】本発明の一実施形態に係る美容装置における温冷交互付与モードでの熱源部への通電状態及びヘッド部の温度変化状態説明図である。
【図１３】本発明の一実施形態に係る美容装置における温冷交互付与モードでの１回目と２回目のヘッド部の加熱及び冷却によるヘッド部温度変化状態概略説明図である。
【発明を実施するための形態】
【００２４】
以下、本発明の一実施形態に係る美容装置を前記図１ないし図１３に基づいて説明する。
前記各図において本実施形態に係る美容装置１は、使用者により保持される本体部１１と、この本体部１１と一体に配設され、使用者の皮膚に温度に基づく刺激を付与する、伝熱部としてのヘッド部１２と、このヘッド部１２近傍に配設され、ヘッド部１２を加熱及び冷却する熱源部１３と、本体部１１におけるヘッド部１２近傍の所定部位に傾動可能に配設される傾動腕部１５と、この傾動腕部１５に所定の間隔でそれぞれ回動可能に取付けられる二つのローラ部１６、１７と、これらローラ部１６、１７間に配設されて所定波長の光を照射する照射部１８と、装置各部への通電状態等を制御する制御部１９とを備える構成である。
【００２５】
本実施形態に係る美容装置１では、ヘッド部１２、ローラ部１６、１７、及び、照射部１８が、それぞれ使用者の皮膚に近付け又は接触させた状態で美容に係る所定の刺激を使用者の皮膚に付与可能な刺激付与部として設けられている。
【００２６】
前記本体部１１は、ヘッド部１２が一端に配設される一方、他端側所定長さ範囲は使用者が使用時に手で把持して装置全体を保持するのに適した太さの把持部１１ａを形成されてなり、この把持部１１ａの長手方向とヘッド部１２の正面方向とが所定角度分傾いた形状として形成され、また、内部には前記制御部１９等の電気回路や電源としての電池（図示を省略）を配設される構成である。
【００２７】
本体部１１における、ヘッド部１２の正面側に近い方の把持部１１ａ正面側には、使用者の入力操作を受けて美容に係る作動のＯＮ、ＯＦＦや作動の種類、強弱等を切換える操作部１１ｂが配設される。そして、把持部１１ａ背面側には、導電性部材からなり制御部１９と接続された補助電極部１４が配設され、使用者が把持部１１ａを手で把持するとその手と補助電極部１４とが接触することとなる。
さらに、本体部１１におけるヘッド部１２の周囲には、ヘッド部１２に対してコットンパフ等の多孔質被覆体１２ａを保持するリング状の保持部１２ｂが着脱可能とされる。
【００２８】
前記操作部１１ｂには、美容に係る三種類の作動モードでのそれぞれの作動実行と電源ＯＦＦ状態とを選択可能とする電源／モード切替スイッチ１１ｃと、伝熱部であるヘッド部１２における温度変化の状態を切替可能とする温度変化設定スイッチ１１ｄと、前記各作動モードに係る皮膚への通電状態における通電電流の強弱を切換える強弱切替スイッチ１１ｅとが配設される。
【００２９】
前記ヘッド部１２は、金属等の導電性及び良熱伝導性を有する材質からなり、凸形状、具体的には、三角形を膨らませたような、曲率の大きい三つのコーナー部とそれらの中間の曲率の小さい曲線部分とからなる輪郭形状の頂面を有する台形状とされ、頂面側を先端として本体部１１の一端部正面側から突出させて配設される構成である。
【００３０】
ヘッド部１２には、本体部１１の内側から熱源部１３が絶縁材を介して当接しており、この熱源部１３により、ヘッド部１２は必要に応じ加熱されて周囲環境温度及び体温以上の所定温度まで温度を上昇させたり、冷却されて周囲環境温度以下の所定温度まで温度を低下させる構成である。そして、ヘッド部１２は、使用者の皮膚に接する状態で、こうした加熱や冷却で変化した温度に基づく温刺激や冷刺激を使用者の皮膚に付与することとなる。
また、ヘッド部１２は、本体部１１内で制御部１９と電気的に接続されており、把持部１１ａにある補助電極部１４との間で使用者の体を介して通電可能とされる。
【００３１】
ヘッド部１２を用いて皮膚７０に対する通電を行う場合には、使用者が把持部１１ａを持って使用者の掌や手の指等と補助電極部１４とを接触させ、また制御部１９によりヘッド部１２と補助電極部１４間に電圧が加えられて通電が起こり得る状態とされた上で、使用者がヘッド部１２を直接、又は、電解質成分を含む化粧水等の液剤が含浸した多孔質被覆体１２ａを介して、顔等の皮膚７０に接触させる。これにより、ヘッド部１２と補助電極部１４とを使用者の体を介して電気的接続状態とすることができ、ヘッド部１２の接する皮膚７０への通電が生じる。
【００３２】
こうしたヘッド部１２の接する皮膚７０への通電に伴って、あらかじめ皮膚表面に塗布したか、多孔質被覆体１２ａに染込ませたかした化粧水等の液剤中に含まれるイオン性の有効成分を、制御部１９からの電流に基づくイオン移動によって皮膚内部に導入するイオン導入（イオントフォレーシス）を実行できる。また、皮膚７０のクレンジング（イオン導出）として、帯電した老廃物等の汚れ成分を通電により皮膚側からヘッド部１２側に移行させ、ヘッド部表面に保持した多孔質被覆体１２ａに取込む状態を得ることもできる。こうしたイオン導入やクレンジングの手法自体は公知のものであり、詳細な説明を省略する。
【００３３】
前記熱源部１３は、本体部１１内部におけるヘッド部１２近傍に配設され、通電により温度を変化させてヘッド部１２を加熱及び冷却するものである。
詳細には、熱源部１３は、薄い板形状とされた公知のペルチェ素子であり、本体部１１内側におけるヘッド部１２の後方部分に配設され、ヘッド部１２との間には薄い絶縁材を介在させて、熱源部１３とヘッド部１２間の絶縁を維持しつつ熱源部１３とヘッド部１２との間での良好な熱伝導を可能とされる構成である。
【００３４】
この熱源部１３は、導線を介して本体部１１内側の制御部１９と電気的に接続され、制御部１９による制御に基づいて通電され、ヘッド部側を発熱面としてあらかじめ設定された温度まで温度を上昇させる状態と、ヘッド部側を吸熱面としてあらかじめ設定された温度まで温度を低下させる状態と、切り替えられる仕組みである。熱源部１３の温度変化の仕組みは公知のペルチェ効果に基づくものであり、詳細な説明を省略する。
【００３５】
熱源部１３は、制御部１９による制御の下、必要に応じて通電されてヘッド部側を制御部１９であらかじめ設定された温度に変化させることで、ヘッド部１２との間で熱伝導を生じさせ、ヘッド部１２を加熱したり冷却したりすることとなる。そして、ヘッド部１２を介した熱伝導により、ヘッド部１２の接する皮膚７０や多孔質被覆体に染込ませた液剤を温めたり、冷やしたりすることができる。
【００３６】
制御部１９で熱源部１３の通電状態を制御することで、一つの作動モードとして規定された時間内に、ヘッド部１２の加熱又は冷却の一方のみ行うだけでなく、加熱と冷却を切り替えて順次実行可能である。
【００３７】
なお、熱源部１３をなすペルチェ素子は、ヘッド部１２に面する側が吸熱面となるように通電されてヘッド部１２を冷却する際、反対側の温度上昇する発熱面で放熱を適切に行わないと同時並行の吸熱も滞る状態となるため、放熱のための機構を併設している。
【００３８】
具体的には、熱源部１３のヘッド部１２に面しない側の面に対し熱伝導可能として本体部１１内に配設され、熱源部１３から伝わった熱を周囲雰囲気中に放出可能とする放熱器１３ａと、本体部１１の外から取り入れた空気の気流を生じさせ、この気流を放熱器１３ａに当てて放熱器１３ａを強制冷却可能とするように本体部１１内に配設されるファン１３ｂとを備える構成である。前記ファン１３ｂは、制御部１９と電気的に接続され、制御部１９による制御に基づいて作動するものである。
【００３９】
前記傾動腕部１５は、本体部１１におけるヘッド部１２のある一端部に傾動可能に取付けられる略腕状部材であり、傾動の中心から離れた端部に前記ローラ部１６、１７及び照射部１８を取付けられる構成である。
【００４０】
前記ローラ部１６、１７は、二つの導体製の円筒体であり、傾動腕部１５の傾動中心部分から離れた先端側に、互いに平行をなす軸を中心にそれぞれ回動可能として所定間隔で配設される構成である。各ローラ部１６、１７は、傾動腕部１５内に設けられた導線を介して本体部１１内側の制御部１９と電気的に接続され、極性の異なる一対の電極をなす。
【００４１】
これらローラ部１６、１７は、皮膚７０と接触可能に露出しており、皮膚７０と接触している状態では、制御部１９によりローラ部１６、１７間を皮膚７０を介した通電状態とされる。各ローラ部１６、１７は、金属等の導電体で形成するほか、ゴム等の弾性体表面に金属等の導体を貼付けたり導体の薄膜を配置して形成した構造とすることもできる。
【００４２】
前記照射部１８は、傾動腕部１５先端側における二つのローラ部１６、１７間の領域に、ローラ部１６、１７より奥まった配置とされて固定され、二つのローラ部１６、１７を皮膚７０に押し付け当接させると、照射部１８が皮膚７０に対向して、皮膚に対し光を照射可能とされる構成である。
【００４３】
この照射部１８は、制御部１９による照射制御の下で、赤色域（波長約６２０〜７５０ｎｍ）や黄色域（波長約５７０〜５９０ｎｍ）の可視光を照射すると共に、近赤外域（波長約８００〜１０００ｎｍ）の光を照射するものである。
【００４４】
照射部１８は、光源をなす公知の発光ダイオード（ＬＥＤ）を透光性を有するカバーで覆った既知の構造を採用したものであり、詳細な説明を省略する。この照射部１８は、傾動腕部１５に固定されており、この傾動腕部１５内に設けられた導線を介して本体部１１内側の制御部１９と電気的に接続されている。
【００４５】
照射部１８からの光は、制御部１９での照射制御により、所定の照射強度で、略連続的に、すなわち人目にはちらつき等無く連続した光に見えるように、あるいは、断続的に、すなわち照射期間と非照射期間が交互に繰返されるようにして照射される。
【００４６】
ローラ部１６、１７による通電及び照射部１８からの光照射を行う際は、傾動腕部１５を傾動させて照射部１８及びローラ部１６、１７をヘッド部１２正面に位置させ、ローラ部１６、１７を皮膚７０に当接可能な状態とする（図４、図５、図６参照）。一方、イオン導入など、ローラ部１６、１７による通電及び光照射を行わない場合には、傾動腕部１５を傾動させてローラ部１６、１７及び照射部１８をヘッド部１２正面からずらし、ヘッド部１２を開放状態とすれば、ヘッド部１２を多孔質被覆体で覆ったり皮膚７０に当接させたりすることができる（図１、図２、図３参照）。
【００４７】
前記制御部１９は、本体部１１に内蔵され、使用者の操作部１１ｂへの入力操作を受けて、熱源部１３への通電を制御し、熱源部１３によるヘッド部１２の加熱冷却状態を調整可能とすることに加え、ヘッド部１２と補助電極部１４間の通電や、対をなすローラ部１６、１７間の通電、及び照射部１８における光照射を、それぞれ制御するものである。
【００４８】
制御部１９は、美容用途ごとに各部の作動モードを設定しており、本実施形態においては、皮膚に蓄積している有害成分や老廃物を除去するクレンジングモード、皮膚の深部に化粧水等のイオン性有効成分を浸透させ、しっとり感を高めるイオン導入モード、及び、皮膚を活性化して乳液やクリームの定着、浸透を図るローラ通電及び光照射モード、の三つがある。
【００４９】
前記作動モードのうち、クレンジングモードとイオン導入モードでは、制御部１９はヘッド部１２と補助電極部１４間を通電状態とする。ローラ通電及び光照射モードでは、対をなすローラ部１６、１７間を通電状態とし、且つ照射部１８を作動させて光を照射させる。
【００５０】
さらに、制御部１９は前記イオン導入モードと同時又は単独で、ヘッド部１２から皮膚に温冷の熱的な刺激を与えるためのヘッド部における温度変化の状態を三種類設定している。具体的には、ヘッド部１２を温める状態とヘッド部１２を冷やす状態とを交互に生じさせて、ヘッド部１２から皮膚に温刺激と冷刺激を交互に与えられる状態とする温冷交互付与モードと、ヘッド部１２を温める状態に維持し、皮膚に温刺激のみ連続して与えられる状態とする温刺激付与モードと、ヘッド部１２を冷やす状態に維持し、皮膚に冷刺激のみ連続して与えられる状態とする冷刺激付与モードとをそれぞれ選択可能に設定している。
【００５１】
こうした三つのモードでヘッド部１２の温度変化を生じさせる場合には、制御部１９は、熱源部１３への通電状態を各モードに応じて制御してヘッド部１２の加熱や冷却を実行させることとなる。
【００５２】
例えば、ヘッド部１２を温める状態とヘッド部１２を冷やす状態とが交互に生じる温冷交互付与モードの場合、制御部１９は、所定のタイミングで熱源部１３によるヘッド部１２の加熱と冷却を適切に切り替えて、ヘッド部１２の温期間（ヘッド部１２が周囲環境温度より高い温度である期間）と冷期間（ヘッド部１２が周囲環境温度より低い温度である期間）とが同じ長さとなるように、熱源部１３への通電を制御し、熱源部１３によるヘッド部１２の加熱と冷却を交互に実行する。これにより、ヘッド部１２から皮膚に与えられる温刺激の量と冷刺激の量を使用者が均等に感じることができる。
【００５３】
この他に、制御部１９は、熱源部１３でヘッド部１２を冷やす状態ではファン１３ｂを作動させ、熱源部１３によるヘッド部１２の冷却が滞りなく実行できるようにする。また、ヘッド部１２を冷やす状態の後で、且つ次にヘッド部１２を冷やす状態より前の、ヘッド部１２を温める状態にある間などの、熱源部１３がヘッド部１２を冷やしていない期間にも、制御部１９はファン１３ｂを作動させて放熱部１３ａの冷却を図るようにしている。
【００５４】
ヘッド部１２の温度変化に係る制御の具体例としては、制御部１９は、イオン導入を行わない場合でのヘッド部１２の温度変化状態として、温冷交互付与モードが選択されると、熱源部１３のヘッド部側の面が発熱側となるように通電を行わせ、ヘッド部１２を加熱するようにし、この加熱の開始から第一の期間、例えば約３０秒間、でヘッド部１２の温度を第一の所定温度、例えば４０℃、に移行させるよう、熱源部１３の通電を制御する。この第一の期間の後、制御部１９は熱源部１３への通電を第二の期間、例えば約１５秒間、にわたり停止させて、熱源部１３及びヘッド部１２を自然放熱状態とし、ヘッド部１２の温度がしばらくの間、前記第一の所定温度近くで少しずつ低下していくようにする。
【００５５】
続いて、制御部１９は、熱源部１３のヘッド部側の面が吸熱側となるように通電を行わせ、ヘッド部１２を冷却するようにし、この冷却の開始から第三の期間、例えば約７５秒間、でヘッド部１２の温度を第二の所定温度、例えば周囲環境温度から約１０℃低い温度、まで低下させるよう、熱源部１３の通電を制御する。合わせて、制御部１９はファン１３ｂを作動させて、熱源部１３の発熱側で生じた熱を放熱器１３ａを通じて適切に外部に放出し、熱源部１３による吸熱に伴うヘッド部１２の冷却が継続実行できるようにする。
【００５６】
この後、制御部１９は、熱源部１３への通電状態を切り替えて、熱源部１３によるヘッド部１２の冷却を停止すると共に、再度熱源部１３のヘッド部側の面が発熱側となるように通電を行わせ、ヘッド部１２を加熱するようにして、前記一連の制御状態を繰返し実行することとなる。ただし、熱源部１３による２回目以降のヘッド部１２の加熱に際しては、制御部１９はファン１３ｂの作動を伴わせるようにして、放熱部１３ａの温度をできるだけ低下させ、次のヘッド部１２を冷やす状態に備えることとなる。
【００５７】
こうしたヘッド部１２の温度上昇と温度低下の各度合い及び温度変化の期間をそれぞれ異ならせると共に、熱源部１３への通電を停止してヘッド部１２を積極的に加熱及び冷却しない期間を設けるようにする通電制御により、ヘッド部１２では周囲環境温度より温度の高い温期間と、周囲環境温度より温度の低い冷期間とが同様に１分程度の長さとなる温度変化状態が得られ（図１２参照）、使用者は皮膚に与えられる温刺激の量と冷刺激の量を均等に感じることができる。
【００５８】
また、こうしたヘッド部１２における温期間と冷期間を同様の長さとする温度変化状態を得るにあたり、制御部１９において熱源部１３への通電を停止する期間を設けることで、熱源部の部品としての個体差に伴う加熱、冷却能力の微小な差異によりヘッド部を各所定温度に到達させるのに要する時間にずれが生じやすい場合でも、ずれ分を通電停止期間の調整で吸収することができ、温期間と冷期間を同じ長さに無理なく確実に設定できる。加えて、熱源部１３への通電を停止する期間が設けられる分、熱源部１３への通電によりヘッド部１２を冷却して温度低下させる期間を短くすることもでき、負荷の大きい熱源部１３の冷却に係る作動を抑制して電力消費を抑えられ、特に電源部を電池とする場合、熱源部の冷却作動のために投入される電力を抑え、電池の電力供給能力を最大限維持して、装置を使用する際の装置稼働時間をより長くすることができる。
【００５９】
さらに、熱源部１３がヘッド部１２を冷やしていない期間に、制御部１９がファン１３ｂを作動させて放熱器１３ａを強制冷却することで、ヘッド部１２を冷やす状態で熱源部１３の発熱面に生じた熱を受け入れて温度を上昇させた放熱器１３ａが、ヘッド部１２を冷やす状態の後もファン１３ｂで強制冷却されて、その温度を低下させる度合いを大きくされ、次のヘッド部１２を冷やす状態に移行する際に、放熱器１３ａの温度を大幅に低下させた状態が得られる。これにより、次のヘッド部１２を冷やす状態で放熱器１３ａの熱源部１３からの熱を受入可能な熱容量を十分に確保して、熱源部１３における吸熱で発熱側に移動させられる熱量を大きくする、すなわち、熱源部１３がヘッド部１２から熱を奪って冷却する能力を大きくすることができる。こうして、ヘッド部１２を冷やす状態を一度経た後の、次のヘッド部１２を冷やす状態での放熱器１３ａの熱容量不足に伴う冷却能力低下や冷却実行不可となる事態を回避でき、皮膚への温刺激と冷刺激の交互付与を確実に継続実行できることとなる。
【００６０】
制御部１９における作動モードの切替えは、操作部１１ｂの電源／モード切替スイッチ１１ｃに対する使用者の入力操作に基づいて行われる。また、ヘッド部１２における温度変化状態の三つのモードの切替えは、操作部１１ｂの温度変化設定スイッチ１１ｄに対する使用者の入力操作に基づいて行われる。
【００６１】
美容装置１０の使用にあたり、美容装置１０が作動していないＯＦＦ状態から、使用者が最初に電源／モード切替スイッチ１１ｃを操作すると、制御部１９はクレンジングモード、イオン導入モード、ローラ通電及び光照射モードのいずれかを実行可能な状態となり、スイッチを押す操作が行われるごとに、各モードの作動と電源ＯＦＦの四状態を順次切り替える。
【００６２】
また、美容装置１０が作動していないＯＦＦ状態から、最初に温度変化設定スイッチ１１ｄを操作すると、制御部１９は、温冷交互付与モード、温刺激付与モード、冷刺激付与モードのいずれかを実行可能な状態となる。この場合も温度変化設定スイッチ１１ｄを押す操作が行われるごとに、制御部１９は各モードの作動と電源ＯＦＦの四状態を順次切り替える。
【００６３】
この他、電源／モード切替スイッチ１１ｃを操作して、作動モードとしてイオン導入モードを選択した状態で、温度変化設定スイッチ１１ｄを操作すると、制御部１９は作動モードとして選択されたイオン導入に係る通電の実行と並行して、温度変化設定スイッチ１１ｄの操作で選択されたモードに応じた熱源部１３の通電制御を実行して、選択されたモードでヘッド部１２に所定の温度変化状態を与えることとなる。この場合、制御部１９は、イオン導入に係る制御と並行して、温度変化設定スイッチ１１ｄが操作されるごとに、ヘッド部１２の温度変化状態に係る各モードの作動と熱源部１３への通電ＯＦＦ（イオン導入のみ実行）の四状態を順次切り替える。
【００６４】
一方、作動モードとしてクレンジングモードとローラ通電及び光照射モードが選択されていた場合は、その後の温度変化設定スイッチ１１ｄの操作は無効とされ、これら各モードの作動と熱源部１３への通電の同時実行はない。
【００６５】
また、制御部１９は、各作動モードに対応してヘッド部１２と補助電極部１４間、又はローラ部１６、１７間をそれぞれ通電状態とする場合、この通電により使用者の皮膚を流れる電流の強さの調整制御を行うこととなる。この調整は、操作部１１ｂに設けられる強弱切替スイッチ１１ｅに対する使用者の入力操作に基づいて行われ、強弱切替スイッチ１１ｅを押す操作が行われるごとに、制御部１９は通電の四段階の強弱設定を順次切り替える。
【００６６】
このように、操作部１１ｂの電源／モード切替スイッチ１１ｃで通電に係る作動モードを選択、切替可能とすると共に、温度変化設定スイッチ１１ｄでヘッド部１２における温度変化状態に係るモードを選択、切替可能とすることで、作動モードとは独立に、温度変化状態のモードを選択でき、通電に係る操作とヘッド部温度に係る操作が分かれ、使用者が直感的に操作を行うことができ、操作性に優れる。また、イオン導入の際のヘッド部１２における温度変化状態の設定も、イオン導入の選択後における温度変化設定スイッチ１１ｄの操作で行え、その時の状況や皮膚の状態等に応じて柔軟に設定でき、例えばイオン導入開始後の皮膚の状況に合わせた温度の選択も可能となり、より使用者に適した装置作動状態が得られ、刺激付与後の快適感、満足感を向上させられる。加えて、ヘッド部１２から皮膚への温冷の熱的刺激付与のみを実行する場合には、温度変化設定スイッチ１１ｄのみ操作すればよく、操作を極めて容易にすることができる。
【００６７】
次に、本実施形態に係る美容装置の作動状態について説明する。前提として、使用者が美容装置１の把持部１１ａを持ってヘッド部１２又はローラ部１６、１７を、使用したい皮膚の部位に向けられる状態にあるものとする。そして、美容装置１の電源部（電池）は十分な容量を有して、操作部１１ｂの各スイッチでモードを選択入力されれば、各モードの作動をあらかじめ設定された期間の終了まで無理なく継続できる状態であるものとする。
【００６８】
ヘッド部１２を用いるクレンジングやイオン導入を行う場合には、使用者はあらかじめ傾動腕部１５を傾動させてローラ部１６、１７及び照射部１８をヘッド部１２正面からずらし、ヘッド部１２を皮膚７０に当接可能な開放状態としておく（図１、図２、図３参照）。そして、クレンジングの場合は電解質成分を含んだふき取り用化粧水等を、イオン導入の場合は電解質成分を含んだ保護化粧水等を、直接皮膚に塗布するか、コットンパフ等の多孔質被覆体１２ａに染みこませてヘッド部１２上にこの多孔質被覆体を保持した状態とする。
【００６９】
使用者が、操作部１１ｂの電源／モード切替スイッチ１１ｃを操作して、クレンジングモード（１Ｃ）又はイオン導入モード（２Ｃ）を選択すると、具体的には、電源ＯＦＦ状態から一回押す操作を行って、クレンジングモードを選択するか、電源ＯＦＦ状態から二回押す操作を行って、イオン導入モードを選択すると、制御部１９は、ヘッド部１２と補助電極部１４間に短い周期でパルス状の微弱電流を流す通電状態の開始を可能とする。ただし、ヘッド部１２を皮膚７０から離している状態では、ヘッド部１２と補助電極部１４間が体を介して閉じた回路となっていないため、通電はない。
【００７０】
使用者が、保持する美容装置１０を動かし、ヘッド部１２を直接、又は多孔質被覆体１２ａを介して皮膚７０に接触させると、ヘッド部１２と補助電極部１４とが、使用者の体と、あらかじめ皮膚表面に塗布したか、多孔質被覆体に染込ませたかした化粧水を介した通電状態となる。クレンジングの場合には皮膚表面や内部の帯電した微細な汚れ成分を皮膚側から多孔質被覆体側に移行させて皮膚の汚れを除去できる（図８参照）。また、イオン導入の場合には化粧水中のイオン性の有効成分を皮膚側へ移行させて皮膚内への有効成分浸透が図れる（図９参照）。
【００７１】
使用者がヘッド部１２を皮膚７０に当接させたまま皮膚上で少しずつ移動させると、通電状態のままクレンジングやイオン導入の対象位置を変えられる。ただし、ヘッド部１２を皮膚７０から離すと、直ちに通電は中断する。クレンジングやイオン導入を完全に終える場合は、使用者が操作部１１ｂの電源／モード切替スイッチ１１ｃを操作して他の作動モードか電源ＯＦＦ状態に切替えるようにすればよい。この他、クレンジングやイオン導入としてあらかじめ設定された時間が過ぎると、制御部１９が通電を停止させるようにしてもよい。これらのモードの終了後、使用者は、多孔質被覆体を用いた場合はこれをヘッド部１２から取り除いた上で、ヘッド部１２表面を清浄化し、次の使用に備えるようにするのが望ましい。
【００７２】
一方、イオン導入を、ヘッド部１２に所定の温度変化を生じさせながら実行する場合には、前記同様、使用者の電源／モード切替スイッチ１１ｃ操作によりイオン導入が選択されることに加えて、使用者の温度変化設定スイッチ１１ｄ操作により、温度変化状態のモードが選択される。
【００７３】
使用者の操作を受けて、制御部１９はヘッド部１２と補助電極部１４間に短い周期でパルス状の微弱電流を流す通電の開始が可能な状態とする。また、制御部１９は熱源部１３に通電を行ってヘッド部１２の温度変化を開始させる。
【００７４】
使用者が温度変化設定スイッチ１１ｄの操作で、具体的には電源ＯＦＦ状態から一回押す操作を行って、温冷交互付与モードを選択した場合、制御部１９は、まず熱源部１３がヘッド部１２を加熱するよう制御して、ヘッド部１２を周囲の気温より高い第一の所定温度（例えば約４４℃）に移行させる。また、使用者が温度変化設定スイッチ１１ｄの操作で、具体的には電源ＯＦＦ状態から二回押す操作を行って、温刺激付与モードを選択した場合も、制御部１９は、熱源部１３でヘッド部１２を加熱するようにして、ヘッド部１２を周囲環境温度より高い第一の所定温度（例えば約４４℃）に移行させる。一方、使用者が温度変化設定スイッチ１１ｄの操作で、具体的には電源ＯＦＦ状態から三回押す操作を行って、冷刺激付与モードを選択した場合、制御部１９は、まず熱源部１３でヘッド部１２を冷却するよう制御して、ヘッド部１２を周囲環境温度より低い第二の所定温度（例えば、周囲環境温度より約１０℃低い温度）に移行させる。
【００７５】
前記同様、ヘッド部１２を皮膚７０から離している状態では通電はないが、使用者が美容装置１０を動かして、ヘッド部１２を直接、又は多孔質被覆体を介して皮膚７０に接触させると、ヘッド部１２と補助電極部１４とが、使用者の体と、あらかじめ皮膚表面に塗布したか、多孔質被覆体に染込ませたかした化粧水を介した通電状態となる。これにより、化粧水中のイオン性の有効成分を皮膚側へ移行させて皮膚内への有効成分浸透が図れる。
【００７６】
また、こうして直接、又は多孔質被覆体を介して皮膚７０と接触するヘッド部１２は、熱源部１３の加熱又は冷却により、その温度を周囲環境温度とは異なる温度に変化させた状態となっている。これにより、ヘッド部１２が加熱されている場合には、周囲環境温度より高い適度な温度（第一の所定温度）とされたヘッド部１２により、多孔質被覆体１２ａ及び皮膚７０が温められていることで、多孔質被覆体１２ａ中の化粧水の活性が高まると共に、皮膚７０も有効成分が浸透しやすい状態に変化しており、イオン性有効成分の皮膚内への移行がさらに促進される他、化粧水中の非電解質の水溶性有効成分や油溶性の有効成分についても皮膚７０に浸透しやすくなり、こうした各種有効成分が皮膚７０に深く浸透して確実に美容効果を与えられることとなる。
【００７７】
逆に、ヘッド部１２が冷却されて温度を低下させている場合には、周囲環境温度より低い適度な温度（第二の所定温度）とされたヘッド部１２により、皮膚７０は熱を奪われて冷やされ、温度が低下する冷却状態となり、冷たさを感じることとなる。仮に周囲環境温度が高い夏季や、皮膚の温度が高くなっている風呂上がりの状況などでイオン導入を行う際には、こうしてヘッド部１２の温度を下げることで、快適な状態でイオン導入を実行でき、美容効果と共にリラックス感を与えられる。さらに、イオン導入に係る皮膚への通電に伴って、人によっては痛みやかゆみ等の不快感や皮膚表面の炎症が生じる場合があるものの、皮膚を冷やすことによる鎮静作用でこうした不快感や炎症を緩和することができる。
【００７８】
なお、使用者が温度変化設定スイッチ１１ｄの操作で温冷交互付与モードを選択していた場合には、ヘッド部１２が熱源部で加熱され始めてから所定時間、例えば２分経過すると、熱源部１３はヘッド部１２を加熱する状態から、ヘッド部１２を冷却する状態に切り替わり、ヘッド部１２は冷却されて温度低下し、ヘッド部１２は周囲環境温度より低い第二の所定温度（例えば、周囲環境温度より約１０℃低い温度）に移行することとなる。こうして熱源部１３で加熱された後、冷却されることで、温められる状態と冷やされる状態が交互に生じるヘッド部１２により、ヘッド部１２が温められているイオン導入前半では、前記同様に化粧水中の各種有効成分の皮膚７０への浸透を強力に促すことができ、またイオン導入の後半では温度を低下させたヘッド部１２で皮膚７０を冷やしながらイオン導入を継続して、夏季や風呂上がり等の状況でも快適にイオン導入を実行でき、有効成分の浸透促進と快適性向上を無理なく両立できる。さらに、ヘッド部１２と接する皮膚７０が冷却され温度を低下させることで、皮膚７０が引き締まり、皮膚内へ一旦浸透した有効成分を外部に逃がさず固定化してそれらの効果を高められることとなる。
【００７９】
こうしたイオン導入の際、使用者がヘッド部１２を皮膚７０に当接させたまま皮膚上で少しずつ移動させると、通電状態のままイオン導入の対象位置を変えられ、合わせてヘッド部１２で温められる又は冷やされる皮膚の位置も変わることとなる。ただし、ヘッド部１２を皮膚７０から離すと、直ちにイオン導入に係る通電は中断する。
【００８０】
このようなヘッド部１２の温度変化を伴ってのイオン導入を完全に終える場合は、使用者が操作部１１ｂの電源／モード切替スイッチ１１ｃを操作して他の作動モードか電源ＯＦＦ状態に切替えればよい。この他、イオン導入としてあらかじめ設定された時間が過ぎると、制御部１９がヘッド部１２と補助電極部１４間における通電を停止させると共に、熱源部１３への通電を停止させ、イオン導入とヘッド部１２の温度変化は終了となる。終了後、使用者は、多孔質被覆体を用いた場合はこれをヘッド部１２から取り除いた上で、ヘッド部１２表面を清浄化し、次の使用に備えるようにするのが望ましい。
【００８１】
ローラ通電及び光照射を行う場合には、使用者は傾動腕部１５を傾動させてヘッド部１２の正面側にローラ部１６、１７と照射部１８が位置し、ローラ部１６、１７が皮膚７０に当接可能な状態とする（図４、図５、図６参照）。同時に、皮膚に乳液又はクリームを付けてなじませた状態とする。
【００８２】
使用者が操作部１１ｂの電源／モード切替スイッチ１１ｃを操作して、具体的には電源ＯＦＦ状態から三回押す操作を行って、ローラ通電及び光照射モード（３Ｃ）を選択すると、制御部１９は対をなすローラ部１６、１７間に短い周期でパルス状の微弱電流を流す通電状態の開始を可能とし、また照射部１８における光の照射も開始される。ただし、ローラ部１６、１７を皮膚７０から離している状態では、ローラ部１６、１７間が皮膚（肌）を介して閉じた回路となっていないため、通電はない。なお、このローラ通電及び光照射モードでは、温度変化設定スイッチ１１ｄの操作は無効であり、仮に操作を行っても、熱源部１３によるヘッド部１２の加熱や冷却は行われない。
【００８３】
ローラ部１６、１７を皮膚７０に密着させると（図１０参照）、対をなすローラ部１６、１７間において皮膚を介した通電状態となり、皮膚に通電による刺激が加わり、皮膚を活性化して乳液やクリームの浸透を促すこととなる。また、皮膚は照射部１８からの適度な照射強度の光を受け、光による美容効果も生じることとなる。
【００８４】
ローラ部１６、１７を皮膚７０に当接させたまま転動させて皮膚上で少しずつ移動させると、通電及び光照射の対象位置を変えられるが、通電を中断したり通電及び照射位置を変えるために、ローラ部１６、１７を皮膚７０から離すと、直ちにローラ部間の通電が中断する。通電及び照射を完全に終える場合、使用者は操作部１１ｂの電源／モード切替スイッチ１１ｃで他の作動モードか電源ＯＦＦ状態に切替えるようにすれば、ローラ部１６、１７間の通電と照射部１８における光の照射が停止する。
【００８５】
この他、温度変化させたヘッド部１２から皮膚への温冷の熱的刺激付与のみを実行する場合には、使用者はあらかじめ傾動腕部１５を傾動させてローラ部１６、１７及び照射部１８をヘッド部１２正面からずらし、ヘッド部１２を皮膚７０に当接可能な開放状態としておく（図１、図２、図３参照）。必要に応じて、皮膚７０には乳液やクリーム等を付けてなじませた状態としておく。
【００８６】
使用者の電源ＯＦＦ状態からの温度変化設定スイッチ１１ｄ操作により、ヘッド部１２における温度変化の状態が三つのモードから選択されると、制御部１９は熱源部１３への通電を行ってヘッド部１２の加熱または冷却を開始させ、ヘッド部の温度を変化させる。この場合は、ヘッド部１２と補助電極部１４間の通電は行われない。
【００８７】
使用者が、保持する美容装置１０を動かし、ヘッド部１２を皮膚７０に接触させると、ヘッド部１２と皮膚との間で熱伝導が生じる（図１１参照）。これにより、選択された温度変化状態に応じた熱的刺激が皮膚に与えられることとなる。
【００８８】
使用者が温度変化設定スイッチ１１ｄを操作して、具体的には電源ＯＦＦ状態から一回押す操作を行って、温冷交互付与モードを選択していた場合、制御部１９は、熱源部１３がヘッド部１２を加熱するよう制御して、ヘッド部１２を周囲環境温度より高い第一の所定温度（例えば、約４０℃）に移行させる状態と、熱源部１３がヘッド部１２を冷却するよう制御して、ヘッド部１２を周囲環境温度より低い第二の所定温度（例えば、周囲環境温度より約１０℃低い温度）に移行させる状態とを、交互に繰り返させることとなる（図１２参照）。
【００８９】
具体的には、制御部１９は、はじめに、熱源部１３のヘッド部側の面が発熱側となるように通電を行わせ、ヘッド部１２を加熱する。制御部１９は、この加熱の開始から、あらかじめ設定された第一の期間、例えば約３０秒間、のうちに、ヘッド部１２の温度を第一の所定温度、例えば４０℃、まで到達させ、さらに第一の所定温度に到達後はこの温度を維持するようにする。そして、前記第一の期間の経過後、制御部１９は熱源部１３への通電を第二の期間、例えば１５秒間、にわたり停止させ、熱源部１３によるヘッド部１２の加熱（及び冷却）を行わず、熱源部１３及びヘッド部１２を自然放熱状態とする。この通電を停止する第二の期間に、ヘッド部１２の温度は、前記第一の所定温度から徐々に下がり始める。
【００９０】
続いて、制御部１９は、ファン１３ｂを作動させながら、熱源部１３のヘッド部側の面が吸熱側となるように通電を行わせ、ヘッド部１２を冷却する。制御部１９は、この冷却の開始から、あらかじめ設定された第三の期間、例えば７５秒、のうちに、熱源部１３による冷却で、ヘッド部１２を第二の所定温度、詳細には周囲環境温度から所定温度（例えば、１０℃）低い温度、例えば周囲環境温度としての室内空気の温度が２５℃の場合は１５℃、まで低下させるようにする。
【００９１】
このヘッド部１２を冷却する第三の期間の経過後、制御部１９は、再度熱源部１３への通電状態を切り替えて、熱源部１３によるヘッド部１２の冷却を停止すると共に、あらためて熱源部１３のヘッド部側の面が発熱側となるように通電を行わせ、ヘッド部１２を前記同様に加熱するようにして、前記一連の温度制御状態を再度繰返し実行する。
【００９２】
ただし、熱源部１３による２回目のヘッド部１２の加熱については、加熱開始時のヘッド部１２の温度が前の冷却で到達させた第二の所定温度となっており、１回目のヘッド部１２の加熱開始時の温度と異なるため、制御部１９は、熱源部１３に対しヘッド部１２の温度上昇に係る制御のパラメータを変化させ、ヘッド部１２の温度の上昇度合いを調整して、加熱の開始から１回目のヘッド部１２の加熱の場合と同じ、第一の期間のうちに、ヘッド部１２の温度を第一の所定温度まで到達させるようにして、ヘッド部１２の周囲環境温度より温度の高い温期間をヘッド部１２の加熱回数によらず一定とし、皮膚に与えられる温刺激の量を使用者が均等に感じられるようにしている。加えて、この熱源部１３による２回目のヘッド部１２の加熱の際には、制御部１９はファン１３ｂを作動させ、前のヘッド部１２を冷やす状態で大幅に温度を上昇させた放熱器１３ａの温度を、ファン１３ｂによる強制冷却で大幅に低下させた上で、２回目のヘッド部１２を冷やす状態に移行するようにしている。このため、２回目のヘッド部１２を冷やす状態でも放熱器１３ａの熱源部１３からの熱を受入可能な熱容量を十分に確保して、ヘッド部１２から熱源部１３を通じて放熱器１３ａに移動させる熱量を大きくすることができ、仮にヘッド部１２を冷やす状態で放熱器温度が高く熱容量が確保できない場合のような、冷却能力低下や冷却実行不可となる事態を回避でき、選択された温冷交互付与モードに基づいた温冷刺激付与を問題なく進められる。
【００９３】
そして、２回目のヘッド部１２の冷却実行後（最初の加熱開始から４分経過後）、制御部１９は熱源部１３への通電を止めて熱源部１３によるヘッド部１２の冷却を停止する。この後、熱源部１３とヘッド部１２が周囲の影響により自然に温度を周囲環境温度まで上昇させると、温冷交互付与モードに係るヘッド部１２の温度変化は終了となる。
【００９４】
このようにヘッド部１２を温めて皮膚に温刺激を与える状態と、ヘッド部１２を冷やして皮膚に冷刺激を与える状態とを交互に生じさせる制御を制御部１９で行うにあたっては、１回目のヘッド部１２の加熱及び冷却を行う時と、２回目のヘッド部１２の加熱及び冷却を行う時とで、熱源部１３他の状態が異なることから、制御部１９は、１回目のヘッド部１２の加熱及び冷却に際しての制御と、２回目のヘッド部１２の加熱及び冷却に際しての制御とで、制御内容を変えて、繰り返される温期間と冷期間をその回数によらず同じ長さとするようにしている。
【００９５】
詳細には、ペルチェ素子である熱源部１３の特性上、ヘッド部１２を冷却する際の発熱量が大きく、熱源部１３での１回目のヘッド部１２の冷却の後、温度が上昇した放熱器１３ａをファン１３ｂにより強制冷却しても、２回目のヘッド部１２の冷却開始時点での放熱器１３ａの温度を、１回目のヘッド部１２の冷却開始時点の温度まで低下させることはできない。このため、冷却開始時点の放熱器温度が高い分、熱源部１３による２回目のヘッド部１２の冷却では、熱源部１３から放熱器１３ａへの熱移動が起こりにくく、吸熱に伴って熱源部１３で発生した熱をスムーズに放熱できないことで、１回目のヘッド部１２の冷却時よりもヘッド部１２の温度低下の度合いが小さくなる。
【００９６】
制御部１９は、これを踏まえて、２回目のヘッド部１２の加熱及び冷却に際し、加熱されたヘッド部１２が温度変化のピーク（最大値）すなわち最高温度に達するタイミングや、冷却されたヘッド部１２が温度変化のピーク（最小値）すなわち最低温度に達するタイミングをそれぞれ早くするよう制御を行う。一方、制御部１９は、１回目のヘッド部１２の加熱及び冷却に際しては、加熱されたヘッド部１２が温度変化のピーク（最大値）すなわち最高温度に達するタイミングや、冷却されたヘッド部１２が温度変化のピーク（最小値）すなわち最低温度に達するタイミングを、それぞれ２回目の加熱及び冷却の場合より遅くするよう制御を行う。これにより、制御部１９は、熱源部１３による１回目のヘッド部１２の加熱及び冷却で、ヘッド部１２の冷却に基づくヘッド部１２の１回目の冷期間の発生を遅らせ、冷期間を適度な長さに抑えると同時にその前の温期間の長さを調整して、温期間と冷期間を同じ長さとすることができる。加えて、制御部１９は、熱源部１３による２回目のヘッド部１２の加熱及び冷却において、ピークのタイミングを早めた分、ヘッド部１２の温度低下の度合いが１回目より小さい状態で冷却を行っても、この２回目の冷却の期間後半から冷却停止後の温度の自然上昇期間にかけて生じる、２回目のヘッド部１２の冷期間を十分長く確保できると共に、その前の２回目のヘッド部１２の温期間を適度な長さに抑えられ、結果として、１回目と２回目の各温期間及び冷期間を同じ長さに確実に調整制御できることとなる（図１３参照）。
【００９７】
この温冷交互付与モードでは、互いに接触するヘッド部１２と皮膚との間での熱伝導が、ヘッド部１２から皮膚７０に向かうものと、皮膚からヘッド部１２に向かうものとの二種類有り、温度の高いヘッド部１２から皮膚への熱移動による温刺激と、温度の低いヘッド部１２に皮膚の熱が奪われることによる冷刺激とが交互に生じ、この温冷の各刺激を交互に与える状態、すなわち、皮膚に通常の状況では生じ得ない大きな温度変化を生じさせる状態が繰り返されることで、温刺激による皮膚での血行、代謝の促進効果や、冷刺激による皮膚の引き締め効果などの、各刺激ごとの皮膚への効果に留まらず、皮膚直下の筋肉に温冷交互付与に基づく血行促進や疲労回復の効果を与えられる。そして、筋肉にマッサージを行う場合に近い緊張緩和作用も得ることができ、皮膚のたるみの解消が図れ、特に顔部においては皮膚と筋肉への相乗効果で、フェイスマッサージと同様のリフトアップが期待できる。加えて、こうした効果が、温度変化するヘッド部１２を皮膚に当てるだけで効率よく得られることとなり、使用者の使い勝手の面でも優れたものとなる。
【００９８】
また、ヘッド部１２を温める状態におけるヘッド部１２の温度上昇度合いが、ヘッド部１２を冷やす状態におけるヘッド部１２の温度低下度合いより大きくなるように熱源部１３への通電を制御し、ヘッド部１２の温度上昇については急激な変化として、短時間で第一の所定温度に到達させる一方、ヘッド部１２の温度低下は緩慢な変化として、より長い時間をかけて第二の所定温度に到達させることで、ヒトの身体における冷刺激を受ける受容器が温刺激を受ける受容器より多い特徴に対応して、ヘッド部１２を温める状態では温度上昇度合いを大きくし、速やかに高い温度域に到達させて受容器を活性化させ、受容器が少なく皮膚に伝わりにくい温刺激を確実に且つできるだけ長い時間皮膚に付与できる。そして、ヘッド部１２を冷やす状態では、温刺激に比べて受容器で感知しやすい冷刺激が十分に皮膚に受け入れられる範囲で、温度低下の度合いを相対的に小さくする、すなわち、ヘッド部加熱時より負荷が高くなるヘッド部冷却時における温度変化を緩やかにすることで、ペルチェ素子である熱源部１３において、ヘッド部１２の冷却に係る吸熱により生じる排熱の発生度合いを低下させて、排熱の放熱負荷を小さくして吸熱を無理なく実行でき、ヘッド部１２を適切に冷却してその温度を確実に低下させることができる。
【００９９】
加えて、熱源部１３がヘッド部１２を温める状態とヘッド部１２を冷やす状態との間に、熱源部１３への通電を停止する期間を設け（図１２参照）、この通電停止期間の間、ヘッド部１２が自然放熱により少しずつ緩やかに温度を低下させるようにすることで、ヘッド部１２が周囲環境温度より高く、温かいと感じられる温度にある状態を熱源部１３への通電による加熱を伴わずに一定期間保持し、且つ、ヘッド部１２が第一の所定温度から温度を少しずつ低下させる状態を熱源部１３への通電による冷却を伴わずに実現できることなり、通電停止分の電力消費を抑えられる。また、ヘッド部１２が温められる状態から冷やされる状態に移行する際の、ヘッド部１２の温度変化を、通電停止に伴う徐冷期間を挟むことで、緩やかな遷移状態とすることができ、温度変化に起因する皮膚への刺激を抑えられる。さらに、熱源部１３においても、ヘッド部１２加熱状態と冷却状態との間に通電停止期間を挟むことで、急激な温度変化を避けられ、冷却開始時の熱的負荷を抑えて電力消費を抑制できると共に、温度変化に基づく熱源部１３やヘッド部１２の機械的なストレスも緩和でき、これら熱源部１３やヘッド部１２の耐久性を高められる。
【０１００】
また、使用者が前記温度変化設定スイッチ１１ｄを操作して、具体的には電源ＯＦＦ状態から二回押す操作を行って、温刺激付与モードを選択していた場合には、制御部１９は、熱源部１３がヘッド部１２を加熱するよう制御して、ヘッド部１２を周囲環境温度より高い所定温度に移行させる。具体的には、制御部１９は、熱源部１３のヘッド部側の面が発熱側となるように通電を行わせ、ヘッド部１２を加熱するようにし、ヘッド部１２の温度を第一の所定温度、例えば４０℃、まで到達させ、さらに第一の所定温度に到達後はこの温度を維持するようにする。
【０１０１】
熱源部１３により温度を高められたヘッド部１２を皮膚７０に密着させると、皮膚やクリームが温められる状態となり、使用者はヘッド部１２を皮膚７０に押し当てたまま本体部１１を動かして皮膚を温める。この時、ヘッド部１２で皮膚７０をマッサージするようにし、マッサージしながら皮膚を温めるようにすれば、マッサージ効果が高まる。皮膚を温めることで、皮膚の血行や代謝を促せると共に、皮膚に付与される温刺激が皮膚を吸収しやすい状態に変化させ、皮膚に乳液やクリームを付けている場合、皮膚に乳液やクリーム中の有効成分がスムーズに浸透し、より一層美容効果を高められることとなる。
【０１０２】
このようなヘッド部１２の温度変化に基づく皮膚への温刺激付与を終える場合、使用者はヘッド部１２を皮膚７０から離し、操作部１１ｂの温度変化設定スイッチ１１ｄを操作して他のモードか電源ＯＦＦ状態に切替えればよい。この他、熱源部１３によるヘッド部１２の加熱の開始から、あらかじめ設定された所定期間、例えば約３分間、が経過すると、制御部１９が熱源部１３への通電を止め、熱源部１３によるヘッド部１２の加熱を停止させて、温刺激付与モードに係るヘッド部１２の温度変化は終了となる。終了後、使用者は、ヘッド部１２表面を清浄化し、次の使用に備えるようにするのが望ましい。
【０１０３】
熱源部１３への通電停止後、他のモードに基づくヘッド部１２の温度変化を行わせない場合は、熱源部１３とヘッド部１２は周囲の影響により自然に温度を周囲環境温度まで低下させることとなる。
【０１０４】
さらに、使用者が前記温度変化設定スイッチ１１ｄを操作して、具体的には電源ＯＦＦ状態から三回押す操作を行って、冷刺激付与モードを選択していた場合には、制御部１９は、熱源部１３がヘッド部１２を冷却するよう制御して、ヘッド部１２を周囲の気温より低い所定温度に移行させる。具体的には、制御部１９は、熱源部１３のヘッド部側の面が吸熱側となるように通電を行わせ、ヘッド部１２を冷却するようにし、ヘッド部１２の温度を第二の所定温度、詳細には周囲環境温度から所定温度（例えば、１０℃）低い温度、例えば周囲環境温度としての室内空気の温度が２５℃の場合は１５℃、まで低下させ、さらに第二の所定温度に達した後はこの温度を維持するようにする。
【０１０５】
熱源部１３により温度を低下させられたヘッド部１２を皮膚７０に密着させると、皮膚が冷やされる状態となり、使用者はヘッド部１２を皮膚７０に押し当てたまま本体部１１を動かして皮膚を冷やす。ヘッド部１２が直接接触する部位以外の、皮膚７０の例えばヘッド部１２と接触する部位の近傍領域でも、血行等により間接的にヘッド部１２の影響が及び、温度低下が生じる。こうして、温度の低いヘッド部１２と接する部位及びその周囲の皮膚７０が冷やされることで、皮膚７０が引き締まり、これ以前に行ったイオン導入等により皮膚内へ一旦浸透させた有効成分を外部に逃がさず固定化して、それらの成分に基づく効果を高めることができる。
【０１０６】
また、仮に周囲環境温度が高い夏季や、皮膚の温度が高くなっている風呂上がりの状況において、温度を低下させたヘッド部１２を皮膚に当てると、皮膚の過剰な熱を冷まして快適且つ落ち着いた状態を得ることができ、リラックス感を与えられると共に、その後の皮膚に対する美容に係る他の作業を適切に行えることとなる。
【０１０７】
こうしたヘッド部１２の温度変化に基づく皮膚への冷刺激付与を終える場合、使用者はヘッド部１２を皮膚７０から離し、操作部１１ｂの温度変化設定スイッチ１１ｄを操作して他のモードか電源ＯＦＦ状態に切替えればよい。この他、熱源部１３によるヘッド部１２の冷却の開始から、あらかじめ設定された所定期間、例えば約３分間、が経過すると、制御部１９が熱源部１３への通電を止め、熱源部１３によるヘッド部１２の冷却を停止させて、冷刺激付与モードに係るヘッド部１２の温度変化は終了となる。終了後、使用者は、ヘッド部１２表面を清浄化し、次の使用に備えるようにするのが望ましい。
【０１０８】
熱源部１３への通電停止後、他のモードに基づくヘッド部１２の温度変化を行わせない場合は、熱源部１３とヘッド部１２は周囲の影響により自然に温度を周囲環境温度まで上昇させることとなる。
【０１０９】
このように、本実施形態に係る美容装置は、温度を変化させてその温度に基づく刺激を皮膚に与える伝熱部としてのヘッド部１２が配設されると共に、制御部１９による通電制御に基づいてヘッド部１２を加熱及び冷却する熱源部１３が設けられ、使用者の皮膚にヘッド部１２を接近又は接触させた状態で、制御部１９が熱源部１３の温度を制御して、熱源部１３がヘッド部１２を温める状態とヘッド部１２を冷やす状態とが交互に生じるようにし、ヘッド部１２で皮膚に温刺激と冷刺激を続けて交互に与えられることから、ヘッド部１２から皮膚への温刺激の後に引き続いて冷刺激を付与することとなり、先行する温刺激が皮膚に付与されることで生じるおそれのある不快感を、後に続く冷刺激の付与で緩和、抑制でき、このヘッド部１２の温度変化に伴う刺激の効果や、イオン導入と同時に実行されるの相乗効果を、無理なく適切に皮膚に与えることができる。また、ヘッド部１２で皮膚に温刺激と冷刺激を交互に与えるにあたって、例えば温刺激付与と冷刺激付与をそれぞれ実行するための各作動モードの使用者による切替操作や、温刺激付与用と冷刺激付与用の各刺激付与部を入れ替えて皮膚に当接させる装置操作は不要となり、容易に刺激付与状態を得られ、使用者に操作の煩わしさを感じさせずに済むこととなる。
【０１１０】
さらに、制御部１９で熱源部１３によるヘッド部１２の加熱、冷却状態を制御して、ヘッド部温度が周囲環境温度より高い温期間と、ヘッド部温度が周囲環境温度より低い冷期間とが時間的に同じ長さとなるようにすることから、温刺激と冷刺激のバランスをとって、より多く付与された一方の刺激による皮膚への効果が、より少ない他方の刺激による皮膚への効果を覆い隠して目立たなくすることを防ぐことができると共に、ヘッド部１２から皮膚に与えられる温刺激の量と冷刺激の量を使用者が均等に感じることができ、刺激の量の差異による違和感や刺激の過不足感を生じさせず、適切な刺激付与状態が得られる。特に、ヘッド部１２から皮膚に同程度の温刺激と冷刺激を交互に与えるようにすることで、皮膚に通常の状況では生じ得ない大きな温度変化を生じさせて、血流の変化を促し、皮膚下筋肉の緊張状態も変化させて、皮膚のたるみの解消、いわゆるリフトアップが図れることとなる。
【０１１１】
なお、前記実施形態に係る美容装置においては、ローラ部１６、１７の外形を単純な円筒面状に形成する構成としているが、これに限らず、ローラ部と皮膚との接触面積を確保して皮膚への通電性能を担保できる範囲で、ローラ部をその表面に凹凸を有する形状として形成する構成とすることもでき、ローラ部と皮膚とを接触させた際に、接触による皮膚への直接的な刺激のさらなる発生を促して、一種のマッサージ効果を与えることができる。例えば、ローラ部を、複数の凹凸を有する外形の回転対称体として、ローラ部を皮膚に当てながら転動させると、皮膚の押圧が断続的に生じて、指で皮膚を繰り返し軽く叩くような、いわゆるタッピングマッサージのような刺激を付与可能な構成とすることもできる。
【０１１２】
また、前記実施形態に係る美容装置において、熱源部１３でヘッド部１２を冷却する状態におけるヘッド部１２の目標温度としての第二の所定温度は、制御部１９で周囲環境温度より所定温度（例えば、１０℃）低い温度に設定される構成であり、この第二の所定温度は、周囲環境の温度状況に関わりなく、周囲環境温度との温度差をあらかじめ設定された固定値として取り扱うのが、制御を簡略化できコスト面で好ましいが、これに限られるものではなく、第二の所定温度の周囲環境温度との温度差を、周囲環境温度により変えるように制御することもできる。例えば、冬季のような周囲環境温度が低い場合など、単純に第二の所定温度の周囲環境温度との温度差を当初の設定のままとしてヘッド部を冷やす状態とすると、ヘッド部が過度に冷却された状態となって使用者の不快感につながる状況では、ヘッド部の温度低下の度合いを抑える、すなわち、第二の所定温度と周囲環境温度との温度差を、ヘッド部を皮膚に接触させた際に使用者が冷たさを感じられる状態は維持しつつ、小さくするように調整制御してもよい。これにより、ヘッド部と皮膚との過剰な温度差を緩和して、皮膚がヘッド部に触れた際の違和感や不快感を抑制できる。また、熱源部によるヘッド部の冷却を抑制するように制御する結果、必要以上の冷却を行わないことで冷却に係る電源部の電力消費を抑えられ、装置使用時間をより長時間化できる。
【符号の説明】
【０１１３】
１          美容装置
１１        本体部
１１ａ      把持部
１１ｂ      操作部
１１ｃ      電源／モード切替スイッチ
１１ｄ      温度変化設定スイッチ
１１ｅ      強弱切替スイッチ
１２        ヘッド部
１２ａ      多孔質被覆体
１２ｂ      保持部
１３        熱源部
１３ａ      放熱器
１３ｂ      ファン
１４        補助電極部
１５        傾動腕部
１６、１７  ローラ部
１８        照射部
１９        制御部
７０        皮膚
【図１】
2019136296.tif 000003
【図２】
2019136296.tif 000004
【図３】
2019136296.tif 000005
【図４】
2019136296.tif 000006
【図５】
2019136296.tif 000007
【図６】
2019136296.tif 000008
【図７】
2019136296.tif 000009
【図８】
2019136296.tif 000010
【図９】
2019136296.tif 000011
【図１０】
2019136296.tif 000012
【図１１】
2019136296.tif 000013
【図１２】
2019136296.tif 000014
【図１３】
2019136296.tif 000015